(57)【要約】【課題】複数の画像が重畳して描画される場合でも、各画像を視認しやすくする。【解決手段】シンボル画像処理部１０は、表示用モニタ（主画面）表示用モニタ（主画面）２に複数の画像が重畳して描画されている場合に、複数の画像が重畳なく描画される補助画面データを生成する。そして、シンボル画像処理部１０は、補助画面データを表示用モニタ（主画面）２とは異なる表示用モニタ（補助画面）３に出力する【選択図】図１
2017142421.tif 000002
【特許請求の範囲】
【請求項１】
第１の表示領域に複数の画像が重畳して描画されている場合に、前記複数の画像が重畳なく描画される補助画面データを生成するデータ生成部と、
前記補助画面データを前記第１の表示領域とは異なる第２の表示領域に出力するデータ出力部とを有する表示制御装置。
【請求項２】
前記データ生成部は、
前記第１の表示領域での前記複数の画像間の位置関係が反映された前記補助画面データを生成する請求項１に記載の表示制御装置。
【請求項３】
前記データ生成部は、
前記第１の表示領域での前記複数の画像間の位置関係を反映すると２以上の画像の位置が同一になる場合に、前記２以上の画像の各画像が順に描画される前記補助画面データを生成する請求項２に記載の表示制御装置。
【請求項４】
前記データ生成部は、
前記２以上の画像の各画像が、各画像に設定されている優先度の順に描画される前記補助画面データを生成する請求項３に記載の表示制御装置。
【請求項５】
前記データ生成部は、
各画像が前記第１の表示領域で描画されたサイズよりも小さいサイズで描画される前記補助画面データを生成する請求項１に記載の表示制御装置。
【請求項６】
前記データ生成部は、
各画像が表示している対象の属性が記述される前記補助画面データを生成する請求項１に記載の表示制御装置。
【請求項７】
前記データ生成部は、
前記対象の属性の記述が、各画像に設定されている優先度の順に配置されている前記補助画面データを生成する請求項６に記載の表示制御装置。
【請求項８】
前記データ生成部は、
前記第１の表示領域に重畳して描画されている複数の画像であって、ユーザが前記補助画面データの生成を要求した複数の画像に対して前記補助画面データを生成する請求項１に記載の表示制御装置。
【請求項９】
前記データ生成部は、
前記第１の表示領域のうちユーザが指定した範囲内で複数の画像が重畳して描画されている場合に、前記複数の画像に対して前記補助画面データを生成する請求項１に記載の表示制御装置。
【請求項１０】
前記データ生成部は、
前記第１の表示領域のうちユーザが指定した範囲内で複数の画像が重畳して描画されていない場合にも、前記第１の表示領域での前記複数の画像間の位置関係が反映された前記補助画面データを生成する請求項９に記載の表示制御装置。
【請求項１１】
コンピュータが、第１の表示領域に複数の画像が重畳して描画されている場合に、前記複数の画像が重畳なく描画される補助画面データを生成するデータ生成ステップと、
前記コンピュータが、前記補助画面データを前記第１の表示領域とは異なる第２の表示領域に出力するデータ出力ステップとを有する表示制御方法。
【請求項１２】
第１の表示領域に複数の画像が重畳して描画されている場合に、前記複数の画像が重畳なく描画される補助画面データを生成するデータ生成ステップと、
前記補助画面データを前記第１の表示領域とは異なる第２の表示領域に出力するデータ出力ステップとをコンピュータに実行させる表示制御プログラム。
【発明の詳細な説明】
【技術分野】
【０００１】
本発明は、画像の表示を制御する技術に関する。
例えば、本発明は、複数のシンボル画像の重畳表示を回避し、ユーザが注視したいシンボル画像の見逃しを抑止する技術に関する。ここで、シンボル画像とは、シンボルの位置や特性等をユーザが一意に識別するための画像である。シンボル画像に記号が含まれていてもよい。また、シンボルとは、表示用モニタの画面上に表示する対象の情報（名称、番号、位置情報など）を意味する。航空機の情報を表示用モニタの画面上に表示する航空機の管制システムを例に挙げると、航空機の詳細情報（航空機の名称や識別番号、現在位置の情報等）がシンボルであり、画面上に表示する航空機の図形画像がシンボル画像である。
【背景技術】
【０００２】
複数のシンボル画像を画面上に表示するシンボル表示装置においては、ユーザが注視したいシンボル画像を見逃すことのない視認性の良い表示形態が望まれる。しかし、画面上に、近接する複数のシンボル画像が存在する場合、シンボル画像同士の重畳表示により、注視したいシンボル画像が埋もれてしまう場合があり、視認性が低下する。
そこで、シンボル画像の重畳表示が発生する場合には、優先度（ユーザまたはシステムが事前に任意に設定するシンボルの優先順位）の高いシンボル画像を最前面に表示する表示装置がある（例えば、特許文献１参照）。
【先行技術文献】
【特許文献】
【０００３】
【特許文献１】特開２００２−１０７１５５号公報
【発明の概要】
【発明が解決しようとする課題】
【０００４】
特許文献１の表示装置では、重なり合うシンボル画像のうち、優先度の低いシンボル画像が優先度の高いシンボル画像に埋もれてしまうため、ユーザが注視したいシンボル（優先度が低い方のシンボル画像）を、見逃してしまう可能性が高いという課題がある。
画面を拡大してシンボル画像同士の重畳表示を回避したとしても、画面に表示される範囲が限定されるため、画面外に存在する他のシンボル画像が見えなくなってしまう。
【０００５】
この発明は上記の課題を解決することを主な目的としており、複数の画像が重畳して描画される場合でも、各画像を視認しやすくすることを主な目的とする。
【課題を解決するための手段】
【０００６】
本発明に係る表示制御装置は、
第１の表示領域に複数の画像が重畳して描画されている場合に、前記複数の画像が重畳なく描画される補助画面データを生成するデータ生成部と、
前記補助画面データを前記第１の表示領域とは異なる第２の表示領域に出力するデータ出力部とを有する。
【発明の効果】
【０００７】
本発明によれば、第１の表示領域に複数の画像が重畳して描画されていても、第２の表示領域の補助画面データにおいて各画像が重畳なく描画されるため、各画像を視認しやすくなる。
【図面の簡単な説明】
【０００８】
【図１】実施の形態１に係るシンボル情報表示装置の機能構成例を示す図。
【図２】実施の形態１に係るシンボル情報表示装置の運用（重畳表示を自動で検出したい場合に用いる）を示す図。
【図３】実施の形態１に係るシンボル情報表示装置の運用（重畳表示を自動で検出したい場合に用いる）を示す図。
【図４】実施の形態１に係るシンボル情報表示装置の運用（重畳表示を監視する範囲を事前に設定する場合に用いる）を示す図。
【図５】実施の形態１に係るシンボル情報表示装置の運用（重畳表示を監視する範囲を事前に設定する場合に用いる）を示す図。
【図６】実施の形態１に係るシンボル情報表示装置の運用（重畳箇所を検出する箇所を任意に指定する場合に用いる）を示す図である。
【図７】実施の形態１に係るシンボル情報表示装置の運用（重畳箇所を検出する箇所を任意に指定する場合に用いる）を示す図である。
【図８】実施の形態１に係るシンボル情報表示装置のハードウェア構成例を示す図。
【発明を実施するための形態】
【０００９】
実施の形態１．
＊＊＊構成の説明＊＊＊
図１は、本実施の形態に係るシンボル情報表示装置１００の機能構成例を示すブロック図である。
また、図８は、本実施の形態に係るシンボル情報表示装置１００のハードウェア構成例を示すブロック図である。
シンボル情報表示装置１００は、表示制御装置の例に相当する。
シンボル情報表示装置１００により行われる処理は、表示制御方法及び表示制御プログラムの例に相当する。
【００１０】
図８に示すように、シンボル情報表示装置１００は、ハードウェアとして、プロセッサ９１、記憶装置９２、表示用モニタ（主画面）２、表示用モニタ（補助画面）３、入力装置５を備えるコンピュータである。
プロセッサ９１は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等である。プロセッサ９１は、プログラムを実行する。プロセッサ９１は、具体的には、情報処理部１及び表示制御部４の機能を実現するプログラムを実行する。
情報処理部１及び表示制御部４の機能を実現するプログラムは、記憶装置９２に記憶されている。
プロセッサ９１が、これらプログラムを実行して、後述する情報処理部１及び表示制御部４の動作を行う。
図８では、プロセッサ９１が情報処理部１及び表示制御部４の機能を実現するプログラムを実行している状態を模式的に表している。
【００１１】
表示用モニタ（主画面）２及び表示用モニタ（補助画面）３は、画像を表示する。
表示用モニタ（主画面）２は、主画面として機能する。表示用モニタ（補助画面）３は、表示用モニタ（主画面）２を補助する補助画面として機能する。表示用モニタ（主画面）２の表示領域（表示画面）は、第１の表示領域の例に相当する。表示用モニタ（補助画面）３の表示領域（表示画面）は第２の表示領域の例に相当する。
表示用モニタ（主画面）２は、機能構成として、シンボル画像出力部（主画面）１１及び入力インタフェース（主画面）１２を備える。シンボル画像出力部（主画面）１１及び入力インタフェース（主画面）１２については後述する。
また、表示用モニタ（補助画面）３は、機能構成として、シンボル画像出力部（補助画面）１３及び入力インタフェース（補助画面）１４を備える。シンボル画像出力部（補助画面）１３及び入力インタフェース（補助画面）１４については後述する。
また、入力装置５は、ユーザからの操作を受け付ける。
【００１２】
情報処理部１には、シンボル情報受信部７、シンボル情報処理部８及び優先度計算部９が含まれる。
シンボル情報受信部７は、情報源６から送信されたシンボルの詳細情報（シンボルの名称や位置情報等）を受信する。
シンボル情報処理部８は、受信したシンボル情報を処理及び管理する。
優先度計算部９は、シンボルの優先度を計算する。
【００１３】
情報源６は、シンボルの詳細情報をシンボル情報表示装置１００に送信するものである。例として、航空機の画像（シンボル画像）を表示用モニタの画面上に表示する航空機の管制システムを挙げると、航空機の詳細情報（航空機の名称や位置情報等）を検知するレーダが情報源６となる。
【００１４】
表示制御部４には、シンボル画像処理部１０が含まれる。
シンボル画像処理部１０は、情報処理部１から受信したシンボル情報及びユーザからの入力情報を基に、表示用モニタ（主画面）２及び表示用モニタ（補助画面）３に出力する画面データを生成する。表示用モニタ（主画面）２に出力する画面データを主画面データという。表示用モニタ（補助画面）３に出力する画面データを補助画面データという。
通常は、主画面データにシンボル画像が描画され、ユーザは表示用モニタ（主画面）２上の主画面データにおいてシンボル画像を確認する。表示用モニタ（主画面）２上の主画面データにおいて複数のシンボル画像が重畳して描画されている場合に、シンボル画像処理部１０は、複数のシンボル画像が重畳なく描画される補助画面データを生成する。シンボル画像処理部１０は、表示用モニタ（主画面）２上の主画面データでの複数のシンボル画像間の位置関係が反映された補助画面データを生成する。
シンボル画像処理部１０は、主画面データを表示用モニタ（主画面）２に出力し、補助画面データを表示用モニタ（補助画面）３に出力する。
シンボル画像処理部１０は、データ生成部及びデータ出力部の例に相当する。
また、シンボル画像処理部１０により行われる処理は、データ生成ステップ及びデータ出力ステップの例に相当する。
【００１５】
表示用モニタ（主画面）２において、シンボル画像出力部（主画面）１１は、シンボル画像処理部１０から受信した主画面データを表示用モニタ（主画面）２の画面上に出力する。入力インタフェース（主画面）１２は、ユーザからの入力操作を受け付け、シンボル画像処理部１０に入力情報を送信する。
【００１６】
表示用モニタ（補助画面）３において、シンボル画像出力部（補助画面）１３は、シンボル画像処理部１０から受信した補助画面データを表示用モニタ（補助画面）３の画面上に出力する。入力インタフェース（補助画面）１４は、ユーザからの入力操作を受け付け、シンボル画像処理部１０に入力情報を送信する。
【００１７】
＊＊＊動作の説明＊＊＊
以下、図２〜図４を参照しながら、実施の形態１に係るシンボル情報表示装置１００の動作例を説明する。
図２〜図７は、本実施の形態に係るシンボル情報表示装置１００のシンボル画像描画処理を説明する図である。
ユーザが指定するシンボル情報表示装置１００の運用方法により、シンボル画像の重畳表示の回避処理が異なるため、それぞれの処理について説明する。
【００１８】
図２及び図３は、ユーザが入力装置５を用いてボタン（重畳表示を回避する処理を開始するボタン）１５を押下することを起点とし、画面上のシンボル画像２０の重畳表示を自動検出し、一箇所以上の検出箇所の中から、ユーザが注目したい検出箇所を、入力装置５を用いて選択し、表示用モニタ（補助画面）３に重畳表示を回避した視認性の良いシンボル画像を表示する処理を示したものである。
つまり、図２及び図３は、表示用モニタ（主画面）２に重畳して描画されている複数のシンボル画像２０であって、ユーザが補助画面データの生成を要求した複数のシンボル画像２０に対して補助画面データを生成する例を示している。
【００１９】
表示用モニタ（主画面）２において、ユーザが入力装置５を用いて重畳表示の検出箇所の一つを選択すると、シンボル画像処理部１０が、選択した検出範囲１６を表示用モニタ（補助画面）３に表示する。
つまり、シンボル画像処理部１０が、検出範囲１６に含まれる重畳している複数のシンボル画像２０が重畳なく描画される補助画面データを生成する。そして、補助画面データが表示用モニタ（補助画面）３に表示される。
補助画面データでは、シンボル画像２０の代わりに、シンボル画像２０の位置情報を正確に指し示すポイント画像１７が描画される。ポイント画像１７は、主画面データに描画されるシンボル画像２０よりもサイズが小さい画像である。補助画面データでは、主画面データと比較して、画面の縮尺を拡大してポイント画像１７が表示されることで、ポイント画像１７同士が重畳しないように表示される。このため、主画面データではシンボル「Ｄ」のシンボル画像２０がシンボル「Ｃ」のシンボル画像２０に隠れているが（図２（ａ）、（ｂ）、図３（ｃ））、補助画面データ（では、シンボル「Ｄ」のポイント画像１７はシンボル「Ｃ」のポイント画像１７で隠れることなく表示される（図３（ｄ））。
【００２０】
また、補助画面データでは、ポイント画像１７に対し、シンボルの修飾情報１８が追加されている（図３（ｄ））。具体的には、修飾情報１８は、シンボルの名称等、シンボルを一意に特定可能な情報である。表示用モニタ（補助画面）３では、修飾情報１８同士が重畳しないように表示される。
【００２１】
主画面データで複数のシンボル画像２０が同一の位置に描画される場合は、主画面データでの位置関係を正確に反映すると、補助画面データでも複数のポイント画像１７が同一の位置に描画されることになる。この場合は、シンボル画像処理部１０は、同一の位置に描画される複数のポイント画像１７の各々が周期的（ユーザが任意の時間を設定可能）に、順番に画面上の最前面に表示される補助画面データを生成し、表示用モニタ（補助画面）３に出力する。この結果、表示用モニタ（補助画面）３では、同一の位置にある複数のポイント画像１７の各々が順に最前面に表示される。シンボル画像処理部１０は、例えば、各ポイント画像１７に設定されている優先度、すなわち、各ポイント画像１７が表示しているシンボルの優先度の順に各ポイント画像１７を最前面に描画するようにしてもよい。この優先度には、優先度計算部９で計算された優先度が用いられる。
【００２２】
また、表示用モニタ（補助画面）３の下部に、ポイント画像１７が表示するシンボルの詳細情報１９が一覧として表されてもよい（図３（ｄ））。詳細情報１９には、シンボルの属性が記述される。また、詳細情報１９の配置順序は、例えば、優先度の高いシンボルの詳細情報１９の順に左から並べることが考えられる。検出したシンボル画像２０の数が多く、シンボル画像２０の詳細情報１９が画面内に納まらない場合は、スクロールバー３０を表示し、検出範囲内のすべてのシンボルの詳細情報１９を表示及び閲覧可能とする。表示用モニタ（補助画面）３は表示用モニタ（主画面）２の画面の表示状態に連動して表示を更新する。
【００２３】
図４及び図５は、表示用モニタ（主画面）２において、シンボル画像の重畳表示が発生する前に、あらかじめユーザが入力装置５を用いて指定した、シンボル画像２０の重畳表示の監視対象範囲２１において、重畳表示を回避した視認性の良いシンボル画像２０を表示する処理を示したものである。
つまり、図４及び図５は、表示用モニタ（主画面）２の画面のうちユーザが指定した監視対象範囲２１内で複数のシンボル画像２０が重畳して描画されている場合に、当該複数のシンボル画像２０に対して補助画面データを生成する例を示している。
【００２４】
シンボル画像処理部１０は、表示用モニタ（主画面）２の、ユーザが事前に指定した監視対象範囲２１において、シンボル画像２０の重畳表示を検出すると、監視対象範囲２１を表示用モニタ（補助画面）３に表示する。
つまり、シンボル画像処理部１０は、監視対象範囲２１内の重畳しているシンボル画像２０が重畳なく描画される補助画面データを生成する。そして、シンボル画像処理部１０は、補助画面データを表示用モニタ（補助画面）３に出力する。
シンボル画像処理部１０は、ユーザが指定した範囲外の重畳表示については自動で検出せず、表示用モニタ（補助画面）３に表示しない。
以降は、図２及び図３の場合と同じ処理が行われる。
【００２５】
図６及び図７は、ユーザが入力装置５を用いて指定した、表示対象範囲２２において、重畳表示を回避した視認性の良いシンボル画像２０を表示する処理を示したものである。
図６及び図７では、シンボル画像処理部１０は、表示用モニタ（主画面）２の、ユーザが指定した表示対象範囲２２において、シンボル画像２０の重畳表示の有無に係らず、表示対象範囲２２を表示用モニタ（補助画面）３に表示する。
つまり、シンボル画像処理部１０は、表示対象範囲２２内で複数のシンボル画像２０が重畳して描画されていない場合にも、表示対象範囲２２内での複数のシンボル画像２０間の位置関係が反映された補助画面データを生成する。そして、シンボル画像処理部１０は、補助画面データを表示用モニタ（補助画面）３に出力する。
シンボル画像処理部１０は、ユーザが指定した範囲外の位置に存在する重畳表示については自動で検出せず、表示用モニタ（補助画面）３に表示しない。以降は、図２及び図３の場合と同じ処理が行われる。
以降は、図２及び図３の場合と同じ処理が行われる。
【００２６】
＊＊＊実施の形態の効果の説明＊＊＊
以上のように、本実施の形態に係るシンボル情報表示装置１００は、情報処理部１と、表示制御部４と、表示用モニタ（主画面）表示用モニタ（主画面）２を有し、表示用モニタ（補助画面）３を備えるようにした。また、情報処理部１は、優先度計算部９を備えるようにした。シンボル画像処理部１０は、表示用モニタ（主画面）２において重畳表示するシンボル画像２０を、表示用モニタ（補助画面）３において、ポイント画像１７及びシンボルの修飾情報１８を付与し、かつ、重畳表示しないように表示することにより、シンボル画像２０の重畳表示を回避可能となる。また、シンボル画像処理部１０は、表示用モニタ（補助画面）３において、表示中のポイント−画像を、優先度の高い順に並べ、表示制御部４が表示用モニタ（補助画面）３の下部にシンボル画像２０の詳細情報として表示することで、優先度の高いシンボル画像２０の見逃しを抑止可能となる。
【符号の説明】
【００２７】
１  情報処理部、２  表示用モニタ（主画面）、３  表示用モニタ（補助画面）、４  表示制御部、５  入力装置、６  情報源、７  シンボル情報受信部、８  シンボル情報処理部、９  優先度計算部、１０  シンボル画像処理部、１１  シンボル画像出力部（主画面）、１２  入力インタフェース（主画面）、１３  シンボル画像出力部（補助画面）、１４  入力インタフェース（補助画面）、１５  ボタン、１６  検出範囲、１７  ポイント画像、１８  修飾情報、１９  詳細情報、２０  シンボル画像、２１  監視対象範囲、２２  表示対象範囲、３０  スクロールバー、９１  プロセッサ、９２  記憶装置、１００  シンボル情報表示装置。
【図１】
2017142421.tif 000003
【図２】
2017142421.tif 000004
【図３】
2017142421.tif 000005
【図４】
2017142421.tif 000006
【図５】
2017142421.tif 000007
【図６】
2017142421.tif 000008
【図７】
2017142421.tif 000009
【図８】
2017142421.tif 000010